(57)【特許請求の範囲】
【請求項１】
第一誘電体部材で囲まれた環状のチャンバを含む誘導結合型プラズマトーチユニットの前記チャンバ内に第一ガスである希ガスまたは希ガスを主体とするガスを供給しつつ、前記チャンバに連通する開口部から基材に向けて前記第一ガスを噴出すると共に、コイルに高周波電力を供給することで、前記チャンバ内に高周波電磁界を発生させてプラズマを発生させ、前記基材の表面を処理するプラズマ処理方法であって、
前記開口部は環状に形成されており、前記開口部の内側に第二ガスである希ガス以外のガスを主体とするガスを供給しながら前記誘導結合型プラズマトーチユニットと基材とを一方向に相対的に移動させながら前記基材を処理すること、
を特徴とするプラズマ処理方法。
【請求項２】
第一誘電体部材で囲まれた長尺でかつ環状のチャンバを含む誘導結合型プラズマトーチユニットの前記チャンバ内に第一ガスである希ガスまたは希ガスを主体とするガスを供給しつつ、前記チャンバに連通する開口部から基材に向けて第一ガスを噴出すると共に、コイルに高周波電力を供給することで、前記チャンバ内に高周波電磁界を発生させてプラズマを発生させ、前記基材の表面を処理する電子デバイスの製造方法であって、
前記開口部は環状に形成されており、前記開口部の内側に第二ガスである希ガス以外のガスを主体とするガスを供給しながら前記誘導結合型プラズマトーチユニットと基材とを一方向に相対的に移動させながら前記基材を処理すること、
を特徴とする電子デバイスの製造方法。
【発明の詳細な説明】
【技術分野】
【０００１】
本発明は、熱プラズマを基材に照射して基材を処理する熱プラズマ処理や、反応ガスによるプラズマまたはプラズマと反応ガス流を同時に基材へ照射して基材を処理する低温プラズマ処理などの、プラズマ処理装置及び方法、並びに電子デバイスの製造方法に関するものである。
【背景技術】
【０００２】
従来、多結晶シリコン（ｐｏｌｙ−Ｓｉ）等の半導体薄膜は薄膜トランジスタ（ＴＦＴ：Ｔｈｉｎ  Ｆｉｌｍ  Ｔｒａｎｓｉｓｔｏｒ）や太陽電池に広く利用されている。これを安価に形成する方法として、非晶質シリコン膜にレーザー光を照射して結晶化するものがある。レーザープロセスは、イオン注入やプラズマドーピングによって半導体基板に導入した不純物原子の活性化などにも適用しうる。しかしながら、このレーザー結晶化技術には継ぎ目が発生するなどの課題があり、また非常に高価な設備を要する。
【０００３】
そこで、長尺の熱プラズマを発生させ、一方向にのみ走査することで、継ぎ目なく、安価に熱処理を行う技術が検討されている（例えば、特許文献１〜３、及び、非特許文献１を参照）。
【先行技術文献】
【特許文献】
【０００４】
【特許文献１】特開２０１３−１２０６３３号公報
【特許文献２】特開２０１３−１２０６８４号公報
【特許文献３】特開２０１３−１２０６８５号公報
【非特許文献】
【０００５】
【非特許文献１】Ｔ．Ｏｋｕｍｕｒａ  ａｎｄ  Ｈ．Ｋａｗａｕｒａ，Ｊｐｎ．Ｊ．Ａｐｐｌ．Ｐｈｙｓ．５２（２０１３）０５ＥＥ０１
【発明の概要】
【発明が解決しようとする課題】
【０００６】
しかしながら、半導体の結晶化など、ごく短時間だけ基材の表面近傍を高温処理する用途に対して、従来例に示した特許文献１〜３に記載の熱プラズマを長尺状に発生させる技術では、処理速度（単位時間当たりに処理できる基板数）が小さいという問題点があった。また、長尺の熱プラズマが基材から遠いか、または、構成する２つの長い直線部のうち、片側だけを基材に直接照射する構成であるため、ガス及び高周波電力の利用効率が悪いという問題点があった。
【０００７】
本発明はこのような課題に鑑みなされたもので、基材の表面近傍をごく短時間だけ均一に高温熱処理するに際して、或いは、反応ガスによるプラズマまたはプラズマと反応ガス流を同時に基材へ照射して基材を低温プラズマ処理するに際して、高速な処理が可能で、かつ、プラズマを安定的に利用することができるプラズマ処理装置及び方法、並びに電子デバイスの製造方法を提供することを目的としている。
【課題を解決するための手段】
【０００８】
本願の第１発明のプラズマ処理装置は、第一誘電体部材に囲まれた長尺でかつ環状のチャンバと、チャンバに連通する開口部と、チャンバ内に第一ガスを導入する第一ガス供給配管と、チャンバ近傍に設けられたコイルと、コイルに接続された高周波電源と、基材載置台とを備え、基材載置台がなす面に平行な面に沿ってチャンバが配置されており、チャンバの内側に第二ガスを導入する第二ガス供給配管を備えたことを特徴とする。
【０００９】
このような構成により、高速な処理が可能で、かつ、プラズマを安定的に利用することができる。
【００１０】
本願の第１発明のプラズマ処理装置において、好適には、前記チャンバを冷却するための冷却部を備え、前記第一誘電体部材と前記冷却部の間に、第一誘電体部材よりも熱伝導率が大きい第二誘電体部材が設けられていることが望ましい。
【００１１】
このような構成により、より高速な処理が可能となる。
【００１２】
また、好適には、前記基材載置台がなす面に平行な面に沿って前記コイルが設けられていることが望ましい。
【００１３】
このような構成により、簡単にプラズマ処理装置を構成できる。
【００１４】
また、好適には、前記開口部が少なくとも２つの長尺な直線部を有し、前記開口部の長手方向に対して垂直な向きに、前記チャンバと前記基材載置台とを相対的に移動可能とする移動機構を備えることが望ましい。
【００１５】
このような構成により、基材の所望の被処理領域全体を短時間で効率よく処理することができる。
【００１６】
また、好適には、前記第一誘電体部材が窒化シリコンを主成分とするセラミックス、または、シリコン、アルミニウム、酸素、窒素を主成分とするセラミックスであることが望ましい。
【００１７】
このような構成により、より高速な処理が可能となる。
【００１８】
また、好適には、前記第二誘電体部材が窒化アルミニウムを主成分とするセラミックス、または、窒化ボロンを主成分とするセラミックスであることが望ましい。
【００１９】
このような構成により、より高速な処理が可能となる。
【００２０】
また、好適には、前記コイルと前記チャンバの間に、前記チャンバに沿って冷媒流路を備えることが望ましい。
【００２１】
このような構成により、さらに高速な処理が可能となる。
【００２２】
また、この場合、好適には、第一ガスを溜める第一ガスマニホールドを備え、前記第一ガスマニホールドと前記チャンバが前記第一ガス供給配管によって連通され、第一ガス供給配管におけるガスの流れる方向が、前記チャンバがなす平面に対して傾斜していることが望ましい。
【００２３】
このような構成により、簡単な構造の装置を実現できる。
【００２４】
また、好適には、前記第一誘電体部材と、前記第一誘電体部材に貼り合わされた第二誘電体部材のいずれかに設けた溝が、前記冷媒流路を構成することが望ましい。
【００２５】
このような構成により、簡単な構造の装置を実現できる。
【００２６】
本願の第２発明のプラズマ処理方法は、第一誘電体部材で囲まれた長尺でかつ環状のチャンバ内に第一ガスを供給しつつ、チャンバに連通する開口部から基材に向けて第一ガスを噴出すると共に、コイルに高周波電力を供給することで、チャンバ内にプラズマを発生させ、基材載置台がなす面に平行な面に沿ってチャンバを配置し、チャンバの内側に第二ガスを供給しながら基材の表面を処理することを特徴とする。
【００２７】
このような構成により、高速な処理が可能で、かつ、プラズマを安定的に利用することができる。
【００２８】
本願の第２発明のプラズマ処理方法において、好適には、第一ガスが希ガス、または希ガスを主体とするガスであり、第二ガスが希ガス以外のガスを主体とするガスであることが望ましい。
【００２９】
このような構成により、より安定したプラズマを得ることができる。
【００３０】
本願の第３発明の電子デバイスの製造方法は、第一誘電体部材で囲まれた長尺でかつ環状のチャンバ内に第一ガスを供給しつつ、前記チャンバに連通する開口部から基材に向けて第一ガスを噴出すると共に、コイルに高周波電力を供給することで、前記チャンバ内に高周波電磁界を発生させてプラズマを発生させ、前記基材の表面を処理する電子デバイスの製造方法である。とりわけ、前記基材載置台がなす面に平行な面に沿って前記チャンバを配置し、前記チャンバの内側に第二ガスを供給しながら基材を処理する点に特徴を有する。
【００３１】
このような構成により、高速な処理が可能で、かつ、プラズマを安定的に利用することができる。
【００３２】
本願の第３発明の電子デバイスの製造方法において、好適には、第一ガスが希ガス、または希ガスを主体とするガスであり、第二ガスが希ガス以外のガスを主体とするガスであることが望ましい。
【００３３】
このような構成により、より安定したプラズマを得ることができる。
【発明の効果】
【００３４】
本発明によれば、基材の表面近傍をごく短時間だけ均一に高温熱処理するに際して、或いは、反応ガスによるプラズマまたはプラズマと反応ガス流を同時に基材へ照射して基材をプラズマ処理するに際して、高速な処理が可能で、かつ、プラズマを安定的に利用することができる。
【図面の簡単な説明】
【００３５】
【図１】本発明の実施の形態１におけるプラズマ処理装置の構成を示す断面図
【図２】本発明の実施の形態１におけるプラズマ処理装置の構成を示す斜視図
【図３】本発明の実施の形態２におけるプラズマ処理装置の構成を示す断面図
【図４】本発明の実施の形態３におけるプラズマ処理装置の構成を示す断面図
【図５】本発明の実施の形態３におけるプラズマ処理装置の構成を示す斜視図
【図６】本発明の実施の形態４におけるプラズマ処理装置の構成を示す断面図
【図７】本発明の実施の形態４におけるプラズマ処理装置の構成を示す斜視図
【図８】本発明の実施の形態５におけるプラズマ処理装置の構成を示す断面図
【図９】本発明の実施の形態６におけるプラズマ処理装置の構成を示す断面図
【図１０】本発明の実施の形態７におけるプラズマ処理装置の構成を示す断面図
【発明を実施するための形態】
【００３６】
以下、本発明の実施の形態におけるプラズマ処理装置について図面を用いて説明する。
【００３７】
（実施の形態１）
以下、本発明の実施の形態１について、図１及び図２を参照して説明する。
【００３８】
図１は、本発明の実施の形態１におけるプラズマ処理装置の構成を示すもので、長尺の誘導結合型プラズマトーチユニットの長尺方向に垂直な面で切った断面図である。図２は、図１に示した誘導結合型プラズマトーチユニットの組立構成図であり、各部品（一部）の斜視図を並べたものである。図２（ａ）は図１の上方斜めから見た図、図２（ｂ）は図１の下方斜めから見た図である。
【００３９】
図１において、基材載置台１上に基材２が載置されている。誘導結合型プラズマトーチユニットＴにおいて、導体製のコイル３が第一セラミックブロック４及び第二セラミックブロック５の近傍に配置される。コイル３は、図示しない接着剤により、第二セラミックブロック５に接着される。長尺のチャンバ７は、第一セラミックブロック４及び基材２によって囲まれた空間により画定される。
【００４０】
基材載置台１がなす面に平行な面に沿ってコイル３及びチャンバ７が配置されている。また、チャンバ７のコイル３に近い側の内壁面は、コイル３と平行な面である。このような構成では、コイル３の任意の部位において、コイル３からチャンバ７までの距離が等しくなるので、小さい高周波電力で誘導結合性プラズマの発生が可能となり、効率の良いプラズマ生成が実現できる。
【００４１】
誘導結合型プラズマトーチユニットＴは、全体が接地された導体製のシールド部材（図示しない）で囲われ、高周波の漏洩（ノイズ）が効果的に防止できるとともに、好ましくない異常放電などを効果的に防止できる。
【００４２】
チャンバ７は、第一セラミックブロック４に設けた溝が一続きとなった環状の溝に囲まれている。つまり、チャンバ７全体が誘電体で囲まれている構成である。また、チャンバ７は環状である。ここでいう環状とは、一続きの閉じたヒモ状をなす形状を意味し、図２に示すような長方形に限定されるものではない。本実施の形態においては、レーストラック形（２つの長辺をなす直線部と、その両端に２つの短辺をなす直線が連結されてなる、一続きの閉じたヒモ状の形状）のチャンバ７を例示している。チャンバ７に発生したプラズマＰは、チャンバ７における開口部８としてのプラズマ噴出口より基材２に向けて噴出する。また、チャンバ７の長手方向とプラズマ噴出口としての開口部８の長手方向とは平行に配置されている。
【００４３】
第二セラミックブロック５に設けた長方形の溝はプラズマガスマニホールド９であり、その内部には多孔質セラミックス材がはめ込まれている。プラズマガス供給配管１０よりプラズマガスマニホールド９に供給されたガスは、第一セラミックブロック４に設けられたガス導入部としてのプラズマガス供給穴１１（貫通穴）を介して、チャンバ７に導入される。このような構成により、長手方向に均一なガス流れを簡単に実現できる。プラズマガス供給配管１０へ導入するガスの流量は、その上流にマスフローコントローラなどの流量制御装置を備えることにより制御される。また、プラズマガスマニホールド９内を多孔質セラミックス材で構成することで、ガス流れの均一化が実現できるとともに、プラズマガスマニホールド９近傍での異常放電を防止することができる。
【００４４】
プラズマガス供給穴１１は、長手方向に丸い穴状のものを複数設けたものであるが、長手方向に長尺のスリット状の穴を設けたものであってもよい。
【００４５】
第二セラミックブロック５に設けた線分状の溝は放電抑制ガスマニホールド１２であり、その内部は多孔質セラミックス材がはめ込まれている。放電抑制ガス供給配管１４より放電抑制ガスマニホールド１２に供給されたガスは、第一セラミックブロック４に設けられたガス導入部としての放電抑制ガス供給穴１３（貫通穴）を介して、チャンバ７の内側の、誘導結合型プラズマトーチユニットＴと基材２との間の空間に導入される。
【００４６】
放電抑制ガス供給穴１３は、長手方向に丸い穴状のものを複数設けたものであるが、長手方向に長尺のスリット状の穴を設けたものであってもよい。
【００４７】
なお、図示しないが基材載置台１に近い部分に、シールドガス供給口としてのシールドガスノズルを配置してもよい。プラズマ生成に適したプラズマガスとは別にシールドガスを供給して、大気中の酸素、二酸化炭素など、処理に不要、或いは悪影響を及ぼすガスのプラズマ照射面への混入を低減することも可能となる。なお、シールドガス供給口は、開口部８の長尺方向と平行な向きに長尺な形状をもつスリットであってもよいし、或いは、開口部８の長尺方向と平行な向きに並んだ多数の穴であってもよい。
【００４８】
コイル３は、断面が円形の銅管を、断面が直方体の銅ブロックに接着したものである。また、コイル３は中空の管であり、内部が冷媒流路となっている。すなわち、水などの冷媒を流すことで、冷却が可能である。また、第一セラミックブロック４及び第二セラミックブロック５に、開口部８の長手方向に対して平行に冷媒流路が設けられてもよい。また、第一セラミックブロック４と第二セラミックブロック５、及び、第二セラミックブロック５とコイル３とをそれぞれ接着剤によって接合することで、接着剤を介して第一セラミックブロック４及び第二セラミックブロック５の冷却が可能である。ここでは、チャンバを冷却するための冷却部はコイル３であり、第一セラミックブロック４とコイル３の間に、第一セラミックブロック４よりも熱伝導率が大きい第二セラミックブロック５が設けられている。すなわち、第一セラミックブロック４は窒化シリコンであり、第二セラミックブロック５は窒化アルミニウムである。このような構成により、第二セラミックブロック５をも窒化シリコンで構成した場合に比べて、より効果的に第一セラミックブロック４を冷却できるので、より大きい高周波電力を投入することができ、より高速な処理が可能となる。第一セラミックブロック４には、優れた耐熱性が求められるので、窒化シリコンを主成分とするセラミックス、または、シリコン、アルミニウム、酸素、窒素を主成分とするセラミックスが適している。一方、第二セラミックブロック５は、直接数千℃〜１０，０００℃の熱プラズマに接することはないので、耐熱性よりも優れた熱伝導率が必要となるので、窒化アルミニウムを主成分とするセラミックス、または、窒化ボロンを主成分とするセラミックスが適している。
【００４９】
なお、図２に示されているように、コイル３は全体が長方形をなす平面状の渦巻き形であり、端部に冷媒給排口１５が設けられている。
【００５０】
長方形の開口部８が設けられ、基材載置台１（或いは、基材載置台１上の基材２）は、開口部８と対向して配置されている。この状態で、チャンバ７内にプラズマガスを供給しつつ、開口部８から基材２に向けてガスを噴出させながら、図示していない高周波電源よりコイル３に高周波電力を供給することにより、チャンバ７にプラズマＰを発生させ、開口部８からプラズマを基材２に照射することにより、基材２上の薄膜２２をプラズマ処理することができる。開口部８の長手方向に対して垂直な向きに、チャンバ７と基材載置台１とを相対的に移動させることで、基材２を処理する。つまり、図１の左右方向へ誘導結合型プラズマトーチユニットＴまたは基材載置台１を動かす。
【００５１】
チャンバ７内に供給するプラズマガスとして種々のものが使用可能だが、プラズマの安定性、着火性、プラズマに暴露される部材の寿命などを考えると、不活性ガス、とくに希ガス主体であることが望ましい。なかでも、Ａｒガスが典型的に用いられる。Ａｒのみでプラズマを生成させた場合、プラズマは相当高温となる（１０，０００Ｋ以上）。
【００５２】
一方、チャンバ７の内側の、誘導結合型プラズマトーチユニットＴと基材２との間の空間に導入する放電抑制ガスとしては、希ガス以外のガスを主体とするガスであることが望ましい。例えば、窒素、酸素、二酸化炭素などが比較的安全で安価なガスとして利用できる。これらのガスは、希ガスに比べて熱プラズマ化しにくいため、チャンバ７の内側の、誘導結合型プラズマトーチユニットＴと基材２との間の空間で環状の熱プラズマが図１の左右に位置する２つの開口部８の間で繋がってしまい、長尺の熱プラズマとならず小さな円状のプラズマが発生してしまうことを効果的に抑制できる。
【００５３】
希ガスの中でも、とくにＡｒは熱プラズマ化するのに適しているので、プラズマガスとしてＡｒを用い、放電抑制ガスとして他の希ガスを用いてもよい。あるいは、たとえＡｒを主体とするガスであっても、数％以上の他のガスが混合していると、熱プラズマとはなりにくいことから、放電抑制ガスとしてＡｒまたは他の希ガスを主体としながら、数％以上のＡｒ以外のガスを含む混合ガスを利用してもよい。
【００５４】
なお、本構成においては、開口部８の長手方向の長さが、基材２の幅以上となっている。したがって、一度の走査（誘導結合型プラズマトーチユニットＴと基材載置台１とを相対的に移動すること）で基材２の表面近傍の薄膜２２の全体を処理することができる。また、このような構成により、全体として長方形をなす開口部８の短辺側のプラズマが基板に照射されることがないので、均一な処理が可能となる。
【００５５】
このようなプラズマ処理装置において、チャンバ７内にプラズマガスとしてＡｒまたはＡｒ＋Ｈ2ガスを供給しつつ、開口部８から基材２に向けてガスを噴出させながら、図示していない高周波電源より１３．５６ＭＨｚの高周波電力を、コイル３に供給することにより、チャンバ７に高周波電磁界を発生させることでプラズマＰを発生させ、開口部８からプラズマを基材２に照射するとともに走査することで、半導体膜の結晶化などの熱処理を行うことができる。
【００５６】
プラズマ発生の条件としては、開口部８と基材２間の距離＝０．１〜５ｍｍ、走査速度＝２０〜３０００ｍｍ／ｓ、プラズマガス総流量＝１〜１００ＳＬＭ、Ａｒ＋Ｈ2ガス中のＨ2濃度＝０〜１０％、放電抑制ガス（Ｎ2）流量＝１〜１００ＳＬＭ、高周波電力＝０．５〜１０ｋＷ程度の値が適切である。ただし、これらの諸量のうち、ガス流量及び電力は、開口部８の長さ１００ｍｍ当たりの値である。ガス流量や電力などのパラメータは、開口部８の長さに比例した量を投入することが適切と考えられるためである。
【００５７】
このように、開口部８の長手方向と、基材載置台１とが平行に配置されたまま、開口部８の長手方向とは垂直な向きに、長尺のチャンバ７と基材載置台１とを相対的に移動するので、生成すべきプラズマの長さと、基材２の処理長さがほぼ等しくなるように構成することが可能となる。
【００５８】
このように、本実施の形態によれば、基材２が長尺の熱プラズマに近く、また、長尺のチャンバ７を構成する２つの長い直線部の両側を用いて基材２に直接プラズマを照射する構成であるため、ガス及び高周波電力の利用効率に優れる。つまり、基材の表面近傍をごく短時間だけ均一に高温熱処理するに際して、或いは、反応ガスによるプラズマまたはプラズマと反応ガス流を同時に基材へ照射して基材を低温プラズマ処理するに際して、高速な処理が可能で、かつ、プラズマを安定的に利用することができる。
【００５９】
（実施の形態２）
以下、本発明の実施の形態２について、図３を参照して説明する。
【００６０】
図３は、本発明の実施の形態２におけるプラズマ処理装置の構成を示すもので、誘導結合型プラズマトーチユニットの長尺方向に垂直な面で切った断面図であり、図１に相当する。
【００６１】
実施の形態２では、第一セラミックブロック４及び第二セラミックブロック５を同一材料（窒化シリコン）で構成している。また、プラズマガスマニホールド９及び放電抑制ガスマニホールド１２が、第一セラミックブロック４に設けた溝をもって構成され、第二セラミックブロック５は単純な平板である。
【００６２】
このような構成では、第一セラミックブロック４の冷却能力は劣るものの、複雑な加工は第一セラミックブロック４のみに施せばよいという利点がある。
【００６３】
（実施の形態３）
以下、本発明の実施の形態３について、図４及び図５を参照して説明する。
【００６４】
図４は、本発明の実施の形態３におけるプラズマ処理装置の構成を示すもので、誘導結合型プラズマトーチユニットの長尺方向に垂直な面で切った断面図であり、図１に相当する。図５は、図４に示した誘導結合型プラズマトーチユニットの組立構成図であり、各部品（一部）の斜視図を並べたものである。図５（ａ）は図４の上方斜めから見た図、図５（ｂ）は図４の下方斜めから見た図である。
【００６５】
図４において、コイル３とチャンバ７の間に、チャンバ７に沿って冷媒流路１６が設けられている。冷媒流路１６は、第一セラミックブロック４に設けた溝と、これに貼り合わされた第二セラミックブロック５によって構成されている。冷媒流路１６を流れる冷媒が、直接、第一セラミックブロック４に触れる構成となっており、チャンバ７を効果的に低温に保つことができる。冷却効率を最大化することを優先し、冷媒流路１６をチャンバ７に沿うよう配置するため、プラズマガスを溜めるプラズマガスマニホールド９を冷媒流路１６よりも外側に配置し、プラズマガス供給穴１１を斜めに配置している。つまり、プラズマガス供給穴１１におけるガスの流れる方向が、チャンバ７がなす平面に対して傾斜している構成である。
【００６６】
図５に示すように、冷媒流路１６に流す例えば冷却水の給排水は、給排水管１７により行われる。本実施の形態では、冷媒流路１６とプラズマガスマニホールド９が干渉しないように、第二セラミックブロック５に２つの溝が構成されている。
【００６７】
（実施の形態４）
以下、本発明の実施の形態４について、図６及び図７を参照して説明する。
【００６８】
図６は、本発明の実施の形態４におけるプラズマ処理装置の構成を示すもので、誘導結合型プラズマトーチユニットの長尺方向に垂直な面で切った断面図であり、図１に相当する。図７は、図６に示した誘導結合型プラズマトーチユニットの組立構成図であり、各部品（一部）の斜視図を並べたものである。図７（ａ）は図６の上方斜めから見た図、図７（ｂ）は図６の下方斜めから見た図である。
【００６９】
図６、図７において、冷媒流路１６が第二セラミックブロック５の下面（基材載置台１に対向する面）に、また、プラズマガスマニホールド９及び放電抑制ガスマニホールド１２が、その反対の面、つまり、第二セラミックブロック５の上面（基材載置台１とは逆側の面）に設けられている点で、実施の形態３と相違する。冷媒流路１６は、第二セラミックブロック５に設けた溝と、これに貼り合わされた第一セラミックブロック４によって構成され、プラズマガスマニホールド９及び１２は、第二セラミックブロック５に設けた溝と、これに貼り合わされたセラミック板２５によって構成されている。
【００７０】
プラズマガスマニホールド９とプラズマガス供給穴１１とは、第二セラミックブロック５に設けた溝にはめ込まれた多孔質セラミックス材からなるプラズマガスマニホールド９と連通する貫通穴により構成された配管１８によって接続されている。同様に、放電抑制ガスマニホールド１２と放電抑制ガス供給穴１３とは、第二セラミックブロック５に設けた溝にはめ込まれた多孔質セラミックス材からなる放電抑制ガスマニホールド１２と連通する貫通穴により構成された配管１９によって接続されている。
【００７１】
上述の実施の形態３においては、第一セラミックブロック４と第二セラミックブロック５が接着剤によって接着されることで、冷媒が冷媒流路１６から漏れないように構成されていたが、本実施の形態では、オーリング２１によって冷媒流路１６がシールされる。このように、冷媒流路１６とプラズマガスマニホールド９及び１２を、第二セラミックブロック５の別の面に設けた溝によって構成することにより、図７（ｂ）に示すように冷媒流路１６を単純な環状の形状に構成することが可能となり、オーリング２１によるシールが容易な構成とすることができる。
【００７２】
第一セラミックブロック４と第二セラミックブロック５は接着してもよいが、接着せずに図示しないボルト・ナットなどで締結する構成とすることもできる。こうすることで、分解洗浄などのメンテナンスができるという利点がある。
【００７３】
（実施の形態５）
以下、本発明の実施の形態５について、図８を参照して説明する。
【００７４】
図８は、本発明の実施の形態５におけるプラズマ処理装置の構成を示すもので、誘導結合型プラズマトーチユニットの長尺方向に垂直な面で切った断面図であり、図１に相当する。
【００７５】
図８において、冷媒流路１６及びプラズマガスマニホールド９が第一セラミックブロック４の上面（基材載置台１とは逆側の面）に設けられている点で、実施の形態３と相違する。このような構成も可能である。
【００７６】
（実施の形態６）
以下、本発明の実施の形態６について、図９を参照して説明する。
【００７７】
図９は、本発明の実施の形態６におけるプラズマ処理装置の構成を示すもので、誘導結合型プラズマトーチユニットの長尺方向に垂直な面で切った断面図であり、図１に相当する。
【００７８】
図９において、シリコンからなるシールド板２３が、第一セラミックブロック４の下面（基材載置台１に対向する面）に設けられている点で、実施の形態３と相違する。このような構成により、コイル３が発生する高周波電磁界が、シールド板２３によって効果的に遮蔽されるため、基材２近傍の高周波電磁界が相当に弱まるので、静電ダメージによる基材２上に形成されたトランジスタなどの電子デバイスの破壊・劣化がほとんど生じないという利点がある。
【００７９】
（実施の形態７）
以下、本発明の実施の形態７について、図１０を参照して説明する。
【００８０】
図１０は、本発明の実施の形態７におけるプラズマ処理装置の構成を示すもので、誘導結合型プラズマトーチユニットの長尺方向に垂直な面で切った断面図であり、図１に相当する。
【００８１】
図１０において、金属からなるシールド板２３が、第一セラミックブロック４の下面（基材載置台１に対向する面）に設けられた凹部に配置され、さらにシールド板２３を覆うシールド板カバー２４が設けられている。このような構成により、実施の形態６と同様、静電ダメージを抑制でき、また、実施の形態６においてシールド板２３の表面で発生する可能性があるアークなどの異常放電がほとんど生じないという利点がある。
【００８２】
以上述べたプラズマ処理装置及び方法は、本発明の適用範囲のうちの典型例を例示したに過ぎない。
【００８３】
例えば、誘導結合型プラズマトーチユニットＴを、固定された基材載置台１に対して走査してもよいが、固定された誘導結合型プラズマトーチユニットＴに対して、基材載置台１を走査してもよい。
【００８４】
また、本発明の種々の構成によって、基材２の表面近傍を高温処理することが可能となる。それにより、従来例で述べたＴＦＴ用半導体膜の結晶化や太陽電池用半導体膜の改質に適用可能であることは勿論、シリコン半導体集積回路の酸化、活性化、シリサイド形成などのアニール、プラズマディスプレイパネルの保護層の清浄化や脱ガス低減、シリカ微粒子の集合体からなる誘電体層の表面平坦化や脱ガス低減、種々の電子デバイスのリフロー、固体不純物源を用いたプラズマドーピングなど、様々な表面処理に適用できる。また、太陽電池の製造方法としては、シリコンインゴットを粉砕して得られる粉末を基材上に塗布し、これにプラズマを照射して溶融させ多結晶シリコン膜を得る方法にも適用可能である。
【００８５】
また、プラズマの着火を容易にするために、着火源を用いることも可能である。着火源としては、ガス給湯器などに用いられる点火用スパーク装置などを利用できる。
【００８６】
また、説明においては簡単のため「熱プラズマ」という言葉を用いているが、熱プラズマと低温プラズマの区分けは厳密には難しく、また、例えば、田中康規「熱プラズマにおける非平衡性」プラズマ核融合学会誌、Ｖｏｌ．８２、Ｎｏ．８（２００６）ｐｐ．４７９−４８３において解説されているように、熱的平衡性のみでプラズマの種類を区分することも困難である。本発明は、基材を熱処理することを一つの目的としており、熱プラズマ、熱平衡プラズマ、高温プラズマなどの用語にとらわれず、高温のプラズマを照射する技術に関するものに適用可能である。
【００８７】
また、基材の表面近傍をごく短時間だけ均一に高温熱処理する場合について詳しく例示したが、反応ガスによるプラズマまたはプラズマと反応ガス流を同時に基材へ照射して基材を低温プラズマ処理する場合においても、本発明は適用できる。プラズマガスに反応ガスを混ぜることにより、反応ガスによるプラズマを基材へ照射し、エッチングやＣＶＤが実現できる。
【００８８】
或いは、プラズマガスとしては希ガスまたは希ガスに少量のＨ2ガスを加えたガスを用いつつ、シールドガスとして反応ガスを含むガスを供給することによって、プラズマと反応ガス流を同時に基材へ照射し、エッチング、ＣＶＤ、ドーピングなどのプラズマ処理を実現することもできる。プラズマガスとしてアルゴンを主成分とするガスを用いると、実施例で詳しく例示したように、熱プラズマが発生する。
【００８９】
一方、プラズマガスとしてヘリウムを主成分とするガスを用いると、比較的低温のプラズマを発生させることができる。このような方法で、基材をあまり加熱することなく、エッチングや成膜などの処理が可能となる。エッチングに用いる反応ガスとしては、ハロゲン含有ガス、例えば、ＣxＦy（ｘ、ｙは自然数）、ＳＦ6などがあり、シリコンやシリコン化合物などをエッチングすることができる。反応ガスとしてＯ2を用いれば、有機物の除去、レジストアッシングなどが可能となる。ＣＶＤに用いる反応ガスとしては、モノシラン、ジシランなどがあり、シリコンやシリコン化合物の成膜が可能となる。
【００９０】
或いは、ＴＥＯＳ（Ｔｅｔｒａｅｔｈｏｘｙｓｉｌａｎｅ）に代表されるシリコンを含有した有機ガスとＯ2の混合ガスを用いれば、シリコン酸化膜を成膜することができる。その他、撥水性・親水性を改質する表面処理など、種々の低温プラズマ処理が可能である。容量結合型大気圧プラズマを用いた従来技術に比較すると、誘導結合型であるため、単位体積あたり高いパワー密度を投入してもアーク放電に移行しにくく、より高密度なプラズマが発生可能であり、その結果、速い反応速度が得られ、基材の所望の被処理領域全体を短時間で効率よく処理することが可能となる。
【産業上の利用可能性】
【００９１】
以上のように本発明は、ＴＦＴ用半導体膜の結晶化や太陽電池用半導体膜の改質に適用可能である。勿論、プラズマディスプレイパネルの保護層の清浄化や脱ガス低減、シリカ微粒子の集合体からなる誘電体層の表面平坦化や脱ガス低減、種々の電子デバイスのリフロー、固体不純物源を用いたプラズマドーピングなど、様々な表面処理において、基材の表面近傍をごく短時間だけ均一に高温熱処理するに際して、高速な処理が可能で、かつ、プラズマを安定的に利用することができる有用な発明である。
【００９２】
また、種々の電子デバイスなどの製造における、エッチング・成膜・ドーピング・表面改質などの低温プラズマ処理において、基材の所望の被処理領域全体を短時間で効率よく処理する上で有用な発明である。
【符号の説明】
【００９３】
１  基材載置台
２  基材
Ｔ  誘導結合型プラズマトーチユニット
３  コイル
４  第一セラミックブロック
５  第二セラミックブロック
７  チャンバ
８  開口部
９  プラズマガスマニホールド
１１  プラズマガス供給穴
１２  放電抑制ガスマニホールド
１３  放電抑制ガス供給穴
Ｐ  プラズマ
２２  薄膜
【図１】
0006043968.tif 000002
【図２】
0006043968.tif 000003
【図３】
0006043968.tif 000004
【図４】
0006043968.tif 000005
【図５】
0006043968.tif 000006
【図６】
0006043968.tif 000007
【図７】
0006043968.tif 000008
【図８】
0006043968.tif 000009
【図９】
0006043968.tif 000010
【図１０】
0006043968.tif 000011